(57)【要約】【課題】ディスクトレイへの光ディスクの保持機構とターンテーブルの昇降機構が連係する動作を簡素に構成してディスク装置の薄型化が可能となるようにし、光ディスクの中心孔へのクランプヘッドの嵌入が確実に行われるようにする。【解決手段】光ディスクＤによる情報の記録または再生が可能となるローディング位置と、該光ディスクＤの着脱が可能となるアンローディング位置との間を移動するディスクトレイ３を備え、且つ、ディスクトレイ３の光ディスクＤの載置部３８の前端に常時ディスク保持方向に付勢されている保持部材４０と、ディスクトレイ３のローディング終了段階において前進を開始する解除部材４２とを備え、前記解除部材４２が前記保持部材４０を押圧することにより光ディスクＤの保持が解除されるようにしたディスク装置１であり、ディスクトレイ３の裏面に形成したガイド溝３０・３１の前進後退に従動するスライドプレート２２の横移動に同期して前記解除部材４２を前進後退させるとともに、光ディスクＤを回転駆動するターンテーブル１５を昇降させるようにする。【選択図】  図１
2005196853.tif 000002
【特許請求の範囲】
【請求項１】
光ディスクによる情報の記録または再生が可能となるローディング位置と、該光ディスクの着脱が可能となるアンローディング位置との間を移動するディスクトレイを備え、且つ、ディスクトレイの光ディスクの載置部の前端に常時ディスク保持方向に付勢されている保持部材と、ディスクトレイのローディング終了段階において前進を開始する解除部材とを備え、前記解除部材が前記保持部材を押圧することにより光ディスクの保持が解除されるようにしたディスク装置であり、
ディスクトレイの裏面に形成したガイド溝の前進後退に従動するスライドプレートの横移動に同期して前記解除部材を前進後退させるとともに、光ディスクを回転駆動するターンテーブルを昇降させるようにしたことを特徴とするディスク装置。
【請求項２】
ディスクを支持してローディング位置とアンローディング位置との間を移動するディスクトレイと、
ディスクの中心孔に進入するクランプヘッドを備えたターンテーブルと、
ディスクに対して情報の記録及び／又は再生が可能なヘッド手段と、
を備えてなるディスク装置であって、
前記ディスクトレイに設けられたディスクのロード位置側外周端部を係止する係止部と、ディスクのアンロード位置側外周端部を該係止部に向けて押圧する押圧部材とからなり、該係止部と該押圧部材とでディスクを挟持して保持するディスク保持手段と、
前記押圧部材を前記ディスクから離間する方向に移動させる解除手段とを有し、
前記ディスクトレイがロード位置に戻る前に、前記クランプヘッドがディスクの中心孔に進入してディスクを係止し、その後、前記ディスクトレイがロード位置へ向けて移動することにより、前記ディスクトレイに設けられた前記クランプヘッドに係止されたディスクに対してロード位置方向に離間することを特徴とするディスク装置。
【発明の詳細な説明】
【技術分野】
【０００１】
本発明は、各種コンピュータシステムなどの情報機器において、大量の情報を記録する記録媒体としての光ディスク（例えば、ＣＤ−Ｒ／ＲＷ、ＤＶＤ−Ｒ／−ＲＷ／ＲＡＭ／＋Ｒ／＋ＲＷなど）をドライブするディスク装置に関する。
【背景技術】
【０００２】
近年、ノート型パーソナルコンピュータ（以下、パソコンという）の普及に伴い、パソコン本体の小型化、薄型化が進んでおり、これに内蔵するＣＤやＤＶＤなどの光ディスクをドライブするディスク装置の小型化、薄型化が要求されている。また、デスクトップ型パソコンも例外ではなく、空間の有効利用というエンドユーザの要望に合わせて小型化が進んでおり、デスクトップ型パソコンで主流であったハーフハイトドライブと呼ばれるディスク装置のさらなる小型化、薄型化が要求されている。
【０００３】
このように、パソコンなどで採用されるディスク装置における光ディスクの一般的な装填方式は、１．光ディスクをディスクトレイに載置してローディングする方式、２．ディスクトレイのクランプヘッドに光ディスクを直接装着する方式、３．光ディスクをフロントベゼルから直接差し込むスロットイン方式に大別することができる。このなかで、ディスクトレイに光ディスクを載置してローディングする方式は、最も汎用性が高く、デスクトップ型パソコンに多く採用されてきた。
【０００４】
図２７は、このようなディスクローディング機構を備えた従来のディスク装置の一例を示すものである。同図に示す構成では、メインシャーシ１０１にローディングモータ１０２が取り付けられており、このローディングモータ１０２の回転軸にはモータプーリ１０３が固定されている。モータプーリ１０３にはベルト５が架けられ、その回転がメインシャーシ１０１に対して回転自在に保持されたローディングプーリ１０４に伝達されるようになされている。また、メインシャーシ１０１には、中間ギア１０６および駆動ギア１０７が回転自在に支持されており、ローディングプーリ１０４の回転が中間ギア１０６を介して駆動ギア１０７に伝達されるようになされている。
【０００５】
また、メインシャーシ１０１には、光ディスクの載置部１１０が形成されたディスクトレイ１０８がガイド１１１により前進後退できるように支持されている。そして、このディスクトレイ１０８の内側面にはラックギア１０９が形成されており、駆動ギア１０７と噛合するようになされている。したがって、ローディングギア１０２を回転させると、その回転がモータプーリ１０３、ベルト１０５、ローディングプーリ１０４、中間ギア１０７を介してラック１０９に伝達され、ディスクトレイ１０８がメインシャーシ１０１上を前進後退する。これにより、ディスクトレイ１０８の載置部１１０に載置した光ディスクを装置本体の記録再生位置にローディングしたり、前記記録再生位置から光ディスクの着脱可能位置にアンローディングすることが可能となる。
【０００６】
このように構成されたディスクローディング機構では、ローディングモータ１０２から駆動ギア１０７に至る駆動系の回転軸がディスクトレイ１０８の進退方向に対して垂直に設けられることから、ローディングモータ１０２がメインシャーシ１０１の下方に向かって突出するので、ローディングモータ１０２を収容できる空間を必要とし、必然的にディスク装置全体の厚みが増すこととなり、薄型化には不利な構成となっていた。
【０００７】
このような問題を解決し、ディスク装置の更なる薄型化を図るためのディスクローディング機構として、回転軸がディスクトレイの進退方向と平行となるようにローディングモータを配置し、その回転をディスクトレイに伝達するようにしたディスク装置のディスクローディング機構が提案されている（例えば、特許文献１）。
【０００８】
このディスクローディング機構は、図２８、図２９に示すように、回転軸がディスクトレイ１２２の進退方向と平行となるように配置されたローディングモータ１２３、このローディングモータ１２３の回転軸に固定されたモータプーリ１２４、ローディングモータ１２３の回転軸と直交する回転軸を有し、モータプーリ１２４に圧接されるローディングプーリ１２５、中間ギア１２６、および駆動ギア１２７で構成されている。そして、ローディングプーリ１２５、中間ギア１２６、および駆動ギア１２７は、メインシャーシ１２１に回転可能に支持されており、ローディングプーリ１２５の回転が中間ギア１２６を介して駆動ギア１２７に伝達されるようになされている。
【０００９】
また、メインシャーシ１２１には、光ディスクの載置部１２９が形成されたディスクトレイ１２２がガイド１３０により前進後退できるように支持されている。そして、このディスクトレイ１２２の内側面にラックギア１２８が形成されており、駆動ギア１２７と噛合するようになされている。したがって、ローディングモータ１２３を回転させると、その回転がモータプーリ１２４、ローディングプーリ１２５、中間ギア１２６、駆動ギア１２７を介してラックギア１２８に伝達され、ディスクトレイ１２２がメインシャーシ１２１上を前進後退する。これにより、ディスクトレイ１２２の載置部１２９に載置した光ディスクを装置本体の記録再生位置にローディングしたり、光ディスクの着脱可能位置にアンローディングすることが可能となる。
【００１０】
ところで、上述したような光ディスクをディスクトレイに載置してローディングする方式のディスク装置は、一般にパソコンなどの本体へ水平配置され、光ディスクもディスクトレイへ水平に載置するようにしている。ところが、小型化、薄型化の要求などに伴い、光ディスクのディスクトレイ内への保持が可能となるようにして装置本体への垂直配置が可能となるように改良されたものが提案されている（例えば、特許文献２）。
【００１１】
図３０は、このような目的にもとづくディスク装置のディスクトレイ部分を示す平面図であり、同図に示す構成では、ディスクトレイ２００の光ディスクの載置部２０１の外周の四隅に、該載置部２０１の中心へ向かう溝２０２が形成されており、これら四隅の溝２０２にディスク保持手段であるロックアーム２０３が取り付けられている。このロックアーム２０３の先端２０３ａが載置部２０１のテーパ面２０１ａから載置部２０１の上方に突出されている。そして、ロックアーム２０３の後端２０３には圧縮コイルバネ２０４が取り付けられており、この圧縮コイルバネ２０４によりロックアーム２０３が載置部２０１の中心方向へ付勢されている。
【００１２】
前記ロックアーム２０３を前進後退させて光ディスクの保持／解除を司る一対の解除レバー２０５は、ディスクトレイ２０１の天板の下部で左右両側位置に平行状で対称状に取り付けられている。これら一対の解除レバー２０５の前後方向に沿った長さ方向の両端から斜め前後方向に対称状に延出された一対の解除アーム２０５ａが一対のロックアーム２０３に摺接し、このロックアーム２０３が前進後退可能となるようにしている。
【００１３】
したがって、このように構成されたディスクトレイ２００において、ディスクトレイ２００がアンローディングしている状態で光ディスクを装填する場合、光ディスクの周縁でロックアーム２０３の先端２０３ａを押し拡げ、いわゆるワンタッチ操作で載置部２０１へ装填することができ、光ディスクはロックアーム２０３の先端２０３ａで保持されることになる。一方、ディスクトレイ２００がローディングされ記録再生位置に達すると、解除レバー２０５が駆動されることにより、ロックアーム２０３が後退し、光ディスクの保持が解除されるとともにクランプヘッドにクランプされた光ディスクのドライブが可能となるようにしてある。
【００１４】
なお、上述したようなディスク装置では、停電あるいはパソコン本体の不具合などによりディスクトレイをアンローディングすることができなくなった場合に対応するため、エマージェンシーイジェクト機構を備えていることが必要であり、通常、フロントベゼルに形成した操作孔からピン状部材を差し込み、エマージェンシーイジェクト機構を作動し、ディスクトレイを強制的に引き出すようにしている。
【００１５】
ところが、従来のエマージェンシーイジェクト機構は、複数の機構要素を組み合わせて構成しなければならず、部品点数および組立工程が増加することから、生産コスト上昇の大きな要因となっている。しかも、ディスクトレイが強制的に引き出される状況においても、ディスクトレイに光ディスクが保持された状態となっていなければならない。即ち、垂直配置されたディスク装置のエマージェンシーイジェクト機構を作動してディスクトレイを引き出した状態において、光ディスクがディスクトレイに保持されていないと、例えば、ディスクトレイを引き出した瞬間に光ディスクが落下し、データ記録面を損傷してしまうような事故を生じてしまうことがある。
【００１６】
したがって、エマージェンシーイジェクト機構とディスクトレイによる光ディスクの保持機構が連係して動作し、ディスクトレイがアンローディングされるときは、常に光ディスクがディスクトレイに保持されていることが望ましいのであるが、簡単な構成でこれを実現することが甚だ困難であった。また、このようなディスク装置では光ディスクをドライブするため、ターンテーブルに光ディスクをクランプしなければならないのであるが、ターンテーブルのクランプ動作が確実に行われるようにするため、ターンテーブルのクランプヘッドの外周と光ディスクの中心孔が同心で一致している必要がある。このため、ディスクトレイの載置部に載置した光ディスクの中心孔の中心とディスクトレイの中心とを一致させるため、光ディスクの周縁の正確に等分された４カ所を保持するようにした特許文献２に開示されているような複雑な構成を採用しなければならなかった。ところが、このような構成においては、ディスクローディング時に、ディスクを保持するディスク保持手段をディスクから離間させるための構造が複雑となり、装置の小型化・薄型化に不利であった。
【特許文献１】特開平５−２６６５６５号公報
【特許文献２】特開平７−１５３１６１号公報
【発明の開示】
【発明が解決しようとする課題】
【００１７】
本発明は、かかる従来の問題に鑑みなされたものであり、ディスクトレイへの光ディスクの保持を簡単な構成で可能となるようにしてディスク装置を薄型化できるようにしつつ、クランプヘッドに対する光ディスクの中心孔の偏倚があっても確実にターンテーブルへ光ディスクをクランプできるようにするものである。また、光ディスクのローディング時に、光ディスクの保持の解除を簡単な構成で可能となるようにし、ディスク装置の小型化、薄型化を実現するものである。
【課題を解決するための手段】
【００１８】
そこで、本発明は、以下に述べる各手段により上記課題を解決するようにした。即ち、請求項１記載の発明では、光ディスクによる情報の記録または再生が可能となるローディング位置と、該光ディスクの着脱が可能となるアンローディング位置との間を移動するディスクトレイを備え、且つ、ディスクトレイの光ディスクの載置部の前端に常時ディスク保持方向に付勢されている保持部材と、ディスクトレイのローディング終了段階において前進を開始する解除部材とを備え、前記解除部材が前記保持部材を押圧することにより光ディスクの保持が解除されるようにしたディスク装置であり、ディスクトレイの裏面に形成したガイド溝の前進後退に従動するスライドプレートの横移動に同期して前記解除部材を前進後退させるとともに、光ディスクを回転駆動するターンテーブルを昇降させるようにする。
【００１９】
請求項２記載の発明では、ディスクを支持してローディング位置とアンローディング位置との間を移動するディスクトレイと、ディスクの中心孔に進入するクランプヘッドを備えたターンテーブルと、ディスクに対して情報の記録及び／又は再生が可能なヘッド手段と、を備えてなるディスク装置であって、前記ディスクトレイに設けられたディスクのロード位置側外周端部を係止する係止部と、ディスクのアンロード位置側外周端部を該係止部に向けて押圧する押圧部材とからなり、該係止部と該押圧部材とでディスクを挟持して保持するディスク保持手段と、前記押圧部材を前記ディスクから離間する方向に移動させる解除手段とを有し、前記ディスクトレイがロード位置に戻る前に、前記クランプヘッドがディスクの中心孔に進入してディスクを係止し、その後、前記ディスクトレイがロード位置へ向けて移動することにより、前記ディスクトレイに設けられた前記クランプヘッドに係止されたディスクに対してロード位置方向に離間するようにする。
【発明の効果】
【００２０】
請求項１記載の発明によれば、ディスクトレイへの光ディスクの保持機構とターンテーブルの昇降機構が連係する動作を簡素に構成することができ、部品点数ならびに組立工程を大幅に削減することができ、ディスク装置の薄型化が可能となる。
【００２１】
請求項２記載の発明によれば、ディスク保持手段をディスクから離間させるための機構を簡素に構成でき、ディスク装置の小型化、薄型化が可能となる。
【発明を実施するための最良の形態】
【００２２】
以下、本発明の実施例を図にもとづいて詳細に説明する。
【００２３】
図１は、本発明を実施したディスク装置１の内部の構成を示す斜視図であり、理解を容易とするため、ディスクトレイ３をディスク装置本体２から取り外した状態としてある。図２は、このディスク装置１の底面の構成を示すもので、ディスクトレイのローディングに関する機構の理解が容易となるようにしてある。同図から明らかなように、ディスク装置１は、ピックアップベース４、ディスクローディング機構５、およびディスククランプ機構６を実装配置したディスク装置本体２と、前記ディスクローディング機構５の作用を受けてローディングされる一方、前記ディスククランプ機構６に作用するディスクトレイ３を主体に構成されている。なお、ディスク装置本体２の後端部には、インターフェイスや電源などを接続するためのマルチコネクタ７が配設されている。
【００２４】
ピックアップベース（可動ベース）４は、図３に示すようにディスククランプ機構６の作用を受ける昇降ベース２１とともにメインシャーシ（固定ベース）８の開口部８ａに配設されており、ピックアップベース４の前端部分に形成された２カ所の保持片９がインシュレータ１１を介して昇降ベース２１にネジ止めされ、後端部分に形成された２カ所の保持片１０がインシュレータ１１を介してメインシャーシ８にネジ止めされるフローティング構造となっている。
【００２５】
このように構成されていることから、ピックアップベース４は、その前端部分が昇降ベース２１とフローティング状態で一体化され、後端部分がメインシャーシ８にフローティング状態で固定されることになる。そして、ピックアップベース４の後端面に形成した規制端部４３がメインシャーシ８の規制凹部４４に係合し、ピックアップベース４の後端部の浮き上がりを防止するようにしている。そして、昇降ベース２１は、その支軸１２がメインシャーシ８の起立片８ｂに軸支された片持状態となっているので、この支軸１２が回動支点となってピックアップベース４とともに揺動可能となるようにしている。
【００２６】
ピックアップベース４には、駆動軸にターンテーブル１５が固定されたスピンドルモータ１３が配設されており、このターンテーブル１５には、永久磁石１６ａによるマグネットチャック機能を備え、頂部にテーパ面１６ｂが形成されたクランプヘッド１６が一体に構成されている。さらにこのピックアップベース４には、光ピックアップを主体に構成されたヘッドユニット１４が配設されている。前記ターンテーブル１５は、ピックアップベース４の揺動に伴い昇降し、上昇時には、図４に示すようにカバーシャーシ１７の天板に配設したディスククランパ１８を磁気吸着して光ディスクの中心孔をクランプする。
【００２７】
なお、前記ヘッドユニット１４は、図２に示すようにピックアップベース４の開口４ａの両側に配設された２本のガイドシャフト１９に案内され、スレッドモータ２０を動力源として前記開口４ａ内で往復動し、光ディスクによる情報の記録再生を行うようにしている。
【００２８】
ディスクローディング機構５は、メインシャーシ８にピックアップベース４と並設されており、ローディングモータ２３、シャフト２４、駆動ギア、およびウォームギア２８を主体に構成されており、シャフト２４の一端にはモータギア２６と噛合する伝達ギア２７が固定され、他端にはウオームギア２８が固定されている。このウォームギア２８は、図５、図６に示すようにメインシャーシ８の表面に臨む駆動ギア２５のビニオンが形成された大径ギア２５ａに噛合しており、積層状態で一体化された小径ギア２５ｂがディスクトレイ３の裏面に形成されたラックギア２９に噛合するようにしてある。
【００２９】
つぎに、昇降ベース２１を上下動させるためのディスククランプ機構６の構成を説明する。このディスククランプ機構６は、メインシャーシ８の前端側に配設されるスライドプレート２２を主体に構成されるもので、図７に示すようにメインシャーシ８から起立するアングル片８ｃにより支持され、横方向（Ｘ１−Ｘ２方向）にスライド可能となるようにしてある。
【００３０】
前記スライドプレート２２は、水平面２２ａと垂直面２２ｂが一体に形成された板状体であり、水平面２２ａ上には、後述するディスクトレイ３に裏面に形成されたガイド溝に係合するガイドピン２２ｃ・２２ｄが立設されており、駆動ギア２５方向への延設部にはラックギア２２ｅが形成されている。一方、スライドプレート２２の垂直面２２ｂには、クランク状に形成した昇降ガイド溝３６が形成されており、昇降ベース２１に設けられた２本の従動ピン３２と係合している。これにより、スライドプレート２２の横方向へのスライドに伴い、昇降ベース２１が上下動することになる。
【００３１】
スライドプレート２２の下部には、このスライドプレート２２の横方向へのスライドに同期して前進後退する解除部材４２が配設されている。この解除部材４２は、図７に示すようにメインシャーシ８の底面に形成した凹溝８ｄ内を前進後退（Ｙ１−Ｙ２方向）するようにしたもので、その表面に、前記スライドプレート２２の裏面に形成したガイド溝２２ｆに係合するガイドピン４２ａと、後述するディスク保持部材４０を押圧する押圧片４２ｂが立設されている。したがって、スライドプレート２２が横方向へスライドすることにより、ガイド溝２２ｆで解除部材４２のガイドピン４２ａが案内されて移動するため、解除部材４２が前進後退することになる。
【００３２】
つぎに、ディスクトレイ３は、メインシャーシ８の側壁に形成されたガイド片３７により前進後退可能となるように支持されており、表面には光デスクを載置するように凹陥された載置部３８が形成されており、ターンテーブル１５が位置する載置部３８の略中央からヘッドユニット１４の移動範囲において開口部３９が形成されている。そして、前記載置部３８の奥部側の凹嵌壁３８ａは奥行き方向に傾斜するアンダーカット状に形成されており、光ディスクの奥部側の周縁の一部を係止できるようにしている。一方、前端部の凹陥壁３８ｂは、従来の形状と同様に下り勾配の傾斜となっている。また、ディスクトレイ３の裏面は、ラックギア２９、第１のガイド溝３０、第２のガイド溝３１が形成されており、前記スライドプレート２２のガイドピン２２ｃが第１のガイド溝３０と係合し、ガイドピン２２ｄが第２のガイド溝３１に係合するようにしてある。
【００３３】
前記ディスクトレイ３の前端部中央には、載置部３８に載置された光ディスクを保持するための保持部材４０が配設されており、リードスプリング４１により光ディスクを保持する方向（図１・Ｙ２方向）に常時付勢されている。この保持部材４０は、その保持爪４０ａがディスクトレイ３の前端部の開口から図４に示すように臨んでいる。したがって、載置部３８に光ディスクを載置すると、光ディスクは保持爪４０ａで押圧されることにより、光ディスクの奥部側の周縁の一部が凹嵌壁３８ａにより係止されるため、光ディスクの載置部３８からの脱落を防止することができる。
【００３４】
このように構成されたディスクトレイ３の前端部には、トレイベゼル５０が設けられている。そして、メインシャーシ８の前端の開口部には、中央部にイジェクト操作孔５１ａが形成され、ディスクトレイ３のローディング／アンローディングを指示するための押釦５１ｂが装着され、このベゼルフレーム５１にディスクトレイ３の後端部に形成した図８に示す係止突起３ａが当接し、ディスクトレイ３の脱落を防止するようにしている。なお、ベゼルフレーム５１は図９に示すように、その係止爪５１ｃ・５１ｄがカバーシャーシ１７の穿設孔１７ａ・１７ｂにそれぞれ係止し、図１０に示すように装着される。
【００３５】
本発明のディスク装置は以上のごとく構成されており、その動作態様を以下に説明する。
【００３６】
図１１は、ディスクトレイ３が図４に示すようにアンローディングされて静止している状態であり、載置部３８が開放されたディスクトレイ３に光ディスクＤを装填して載置すると、光ディスクＤは保持部材４０の保持爪４０ａに保持されつつ押圧されるとともに、凹嵌壁３８ａに奥部側の周縁部が係止し、保持状態が保たれる。このとき、スライドプレート２２はＸ１方向の終端にあり、ガイドピン２２ｃは第１のガイド溝３０の始端に位置している。また、昇降ベース２１の従動ピン３２はスライドプレート２２の昇降ガイド溝３６の下限部にあるため、ターンテーブル１５ならびにクランプヘッド１６は、同図に示すように最も降下した状態となっていて、光ディスクＤとの相対的な高さは、クランプヘッド１６が光ディスクＤに接触しない状態となっている。
【００３７】
図１２は、ベゼルフレーム５１の押釦５１ｂの操作などによりディスクトレイ３のＹ２方向へのローディングが開始された直後の状態を示すもので、駆動ギア２５の小径ギア２５ｂによりラックギア２９がメインシャーシ８内へ進入して行く。このとき、スライドプレート２２のガイドピン２２ｃは、第１のガイド溝３０の変曲部３０ａを通過するので、同図に示すようにスライドプレート２２はＸ２方向へ僅かに変位する。これにより、第１のガイド溝３０とスライドプレート２２の垂直面２２ｂの角部とが接触するのを防止するようにしている。なお、この時点では、従動ピン３２はスライドプレート２２の昇降ガイド溝３６の下限部を僅かに横移動するのみであるので、クランプヘッド１６は上昇することはない。
【００３８】
図１３は、ディスクトレイ３がメインシャーシ８内へさらに進入した状態であり、ガイドピン２２ｃが第１のガイド溝３０の終端から外れ、ガイドピン２２ｄが第２のガイド溝３１の始端に位置している状態を示す。さらにこの時点では、従動ピン３２はスライドプレート２２の昇降ガイド溝３６の下限部にあり、クランプヘッド１６は上昇せず初期位置に止まるが、光ディスクＤの中心孔Ｄａはクランプヘッド１６の近傍に接近してくる。
【００３９】
図１４は、ディスクトレイ３が図１３の位置から僅かにメインシャーシ８内へ進入した状態であるが、ガイドピン２２ｄが第２のガイド溝３１の傾斜部３１ａへ進入する直前であり、小径ギア２５ｂからのラックギア２９への動力の伝達が終了する直前の状態を示す。そして、この時点においても、従動ピン３２はスライドプレート２２の昇降ガイド溝３６の下限部にあり、クランプヘッド１６は上昇せず初期位置に止まるが、図１９に示すように光ディスクＤは、保持部材４０の保持爪４０ａに保持された状態でその中心孔Ｄａがクランプヘッド１６のほぼ直上に位置する状態となる。
【００４０】
図１５は、ディスクトレイ３が図１４の位置からさらに僅かにメインシャーシ８内へ進入した状態であり、ガイドピン２２ｄが第２のガイド溝３１の傾斜部３１ａへ進入した状態を示す。かかる状態、即ち、ディスクトレイ３が図１４に示す位置から図１５に示す位置までの移動により傾斜部３１ａに摺接しているガイドピン２２ｄがＸ２方向へ横移動するので、スライドプレート２２がＸ２方向へスライドする。これによりスライドプレート２２の裏面に形成したガイド溝２２ｆもＸ２方向へ横移動するので、これに係合している解除部材４２のガイドピン４２ａが前記ガイド溝２２ｆに押し上げられる状態となり、解除部材４２が前進し、その押圧片４２ｂが保持部材４０に当接する。
【００４１】
前記状態に至るまでの間に、小径ギア２５ｂとラックギア２９の噛合が解除され、これと同期して小径ギア２５ｂとスライドプレート２２のラックギア２２ｅが噛合し、小径ギア２５ｂの動力が前記ラックギア２２ｅに伝達されることになる。なお、このとき、スライドプレート２２のスライドに伴い、従動ピン３２はスライドプレート２２の昇降ガイド溝３６の傾斜部を上昇するのでクランプヘッド１６が図１５に示す位置まで上昇する。なお、光ディスクＤの中心孔Ｄａは、僅かに偏倚してクランプヘッド１６の直上に位置する。
【００４２】
図１６は、スライドプレート２２が図１５の位置から僅かにＸ２方向へスライドした状態であり、このときガイドピン２２ｄはガイド溝３１の平坦部を移行する。これによりディスクトレイ３の前進はこの時点で僅かに停止するが、従動ピン３２はスライドプレート２２の昇降ガイド溝３６の傾斜部で上昇を継続するため、この時点、即ち、ディスクトレイ３の移動が停止した僅かな瞬間にクランプヘッド１６が光ディスクＤの中心孔Ｄａに嵌入する。
【００４３】
このとき、前述したように光ディスクＤの中心孔Ｄａは、クランプヘッド１６の中心から僅かに偏倚しているが、クランプヘッド１６の上昇に伴い、その頂部のテーパ面１６ｂによる調心作用により前記偏倚が正され、光ディスクＤの中心孔Ｄａがクランプヘッド１６に確実に収まる。このようにして光ディスクＤの中心孔Ｄａにクランプヘッド１６が嵌入すると、前記偏倚が解消されるのに伴い、光ディスクＤがＹ１方向へ僅かに移動することから、光ディスクＤの端縁が凹嵌壁３８ａから後退して非接触の状態となり、光ディスクＤはターンテーブル１５上に載置された状態となる。
【００４４】
一方、前記クランプヘッド１６の動作と同時に、スライドプレート２２のスライドにより解除部材４２もさらに前進するため、保持部材４０が押し下げられて保持爪４０ａによる光ディスクＤの保持状態（図２１および図２３参照）が解除（図２２および図２４参照）され、光ディスクＤの中心孔Ｄａへクランプヘッド１６が嵌入する動作の妨げとならないようにしている。
【００４５】
図１７は、小径ギア２５ｂの動力がスライドプレート２２のラックギア２２ｅに伝達し、スライドプレート２２がさらにＸ２方向へスライドしている状態を示す。これに伴い、解除部材４２が前進して保持部材４０をさらに押し下げるとともに、従動ピン３２がスライドプレート２２の昇降ガイド溝３６の上限部に達し、同図に示すようにクランプヘッド１６がディスククランパ１８を磁気吸着し、光ディスクＤの中心孔Ｄａをクランプする。また、ガイドピン２２ｄがＸ２方向へ移動してガイド溝３１の傾斜部３１ｃを押圧駆動することにより、ディスクトレイ３はＹ２方向へ移動して完全に本体内に収容される。このとき、ディスクトレイ３がＹ２方向へ移動することにより、凹嵌壁３８ａとクランプヘッド１６に係止された光ディスクＤの外周部とが大きく離間する。
【００４６】
図１８および図２０は、ローディングの最終段階においてディスクトレイ３が静止した状態を示すもので、解除部材４２が保持部材４０を完全に押し下げる一方、従動ピン３２がスライドプレート２２の昇降ガイド溝３６の傾斜部から脱して上限部の水平部分に位置することにより、従動ピン３２が昇降ガイド溝３６により安定に保持されることになる。
【００４７】
以上は、ディスクトレイ３のローディングに伴う機構の動作の説明であるが、図１８の状態からディスクトレイ３をアンローディングした場合の機構の動作を以下に説明する。ディスクトレイ３のアンローディングは、図１８の状態から小径ギア２５ｂをローディング方向とは逆方向に回転させることによりなされる。即ち、図１８の状態において、ベゼルフレーム５１の押釦５１ｂの操作などによりアンローディングの指示がなされると、小径ギア２５ｂが逆転を開始する。
【００４８】
これによりスライドプレート２２は、図１４の状態に至るまでＸ２方向に移動を開始し、この過程で従動ピン３２がスライドプレート２２の昇降ガイド溝３６の傾斜部を降下するのでクランプヘッド１６が降下して光ディスクＤの中心孔Ｄａのクランプが解除される。一方、スライドプレート２２のＸ２方向へのスライドに伴い解除部材４２が後退するので、図１４の状態に至り保持部材４０の保持爪４０ａが再度、リードスプリング４１の張力により光ディスクＤを保持しつつ押圧し、凹嵌壁３８ａで載置部３８内に安定に保持され、図１３以降の過程では小径ギア２５ｂの動力がラックギア２９に伝達され、ディスクトレイ３のアンローディングが継続される。
【００４９】
前述した図１８から図１４に至る過程は、ディスクトレイ３の移動範囲がきわめて僅かであり、ディスクトレイ３のアンローディングの初期の瞬時に光ディスクＤが安定に保持されるので、その後、アンローディングが終了してディスクトレイ３の載置部３８が完全に開放された状態に至っても光ディスクＤは脱落することがないので、完成したディスク装置の垂直配置が可能となる。
【００５０】
つぎに、上述した構成における本発明のディスク装置において、光ディスクをドライブしている状態、即ち、図１８の状態において、例えば、停電やパソコン本体の何らかの不具合により、ディスクトレイをアンローディングできなくなった場合のエマージェンシーイジェクトについてその動作態様を以下に説明する。
【００５１】
本発明のディスク装置においても、エマージェンシーイジェクトを行う場合のディスク装置外部からの操作は、ベゼルフレーム５１に形成したイジェクト操作孔５１ａから操作ピンを挿入して行うようにした。即ち、図２５に示すように、ローディングが終了していてディスクトレイ３が静止している状態において、ベゼルフレーム５１のイジェクト操作孔５１ａから操作ピンＰを差し込み、解除部材４２の端面を押し込む。これにより、解除部材４２のガイドピン４２ａが後退するのに伴い、スライドプレート２２が図２６に示すようにＸ１方向へスライドする。これにより昇降ベース２１が降下して光ディスクＤのクランプが解除されて、ディスクトレイ３は同図に示すようにＹ１方向へ僅かに前進するので、以後、トレイベゼル５０を引き出すように操作することによりディスクトレイ３の全面を外部に露呈させることができる。なお、図２５から図２６に至る間に解除部材４２の押圧片４２ｂが後退し、保持部材４０を後退させるので、その保持爪４０ａにより光ディスクＤはディスクトレイ３内に保持された状態となっている。
【００５２】
以上の説明から明らかなように、本発明では、ディスクトレイへの光ディスクの保持機構とターンテーブルの昇降機構が連係する動作を簡素に構成することができ、光ディスクの中心孔へのクランプヘッドの嵌入を確実に行うことができる。
【図面の簡単な説明】
【００５３】
【図１】本発明のディスク装置の内部の構成を示す斜視図である。
【図２】本発明のディスク装置の底面の構成を示す図である。
【図３】本発明のディスク装置の要部組立斜視図である。
【図４】本発明のディスク装置の完成状態の斜視図である。
【図５】本発明におけるディスクトレイの駆動機構を説明する図である。
【図６】本発明におけるディスクトレイの駆動機構を説明する図である。
【図７】本発明の要部の機構を説明する斜視図である。
【図８】本発明の組立状態を説明する斜視図である。
【図９】本発明のフロントベゼル部分の構成を示す分解斜視図である。
【図１０】本発明のフロントベゼル部分の組立斜視図である。
【図１１】本発明の動作説明の第１工程を示す図である。
【図１２】本発明の動作説明の第２工程を示す図である。
【図１３】本発明の動作説明の第３工程を示す図である。
【図１４】本発明の動作説明の第４工程を示す図である。
【図１５】本発明の動作説明の第５工程を示す図である。
【図１６】本発明の動作説明の第６工程を示す図である。
【図１７】本発明の動作説明の第７工程を示す図である。
【図１８】本発明の動作説明の第８工程を示す図である。
【図１９】本発明の要部の動作状態を説明する図である。
【図２０】本発明の要部の動作状態を説明する図である。
【図２１】本発明のディスク保持機構を説明する図である。
【図２２】本発明のディスク保持機構を説明する図である。
【図２３】本発明のディスク保持機構を説明する図である。
【図２４】本発明のディスク保持機構を説明する図である。
【図２５】本発明のエマージェンシーイジェクト機構を説明する図である。
【図２６】本発明のエマージェンシーイジェクト機構を説明する図である。
【図２７】従来のディスク装置のローディング機構を説明する斜視図である。
【図２８】図２７のディスク装置の底面の構成を説明する図である。
【図２９】図２７のディスク装置の平面の構成を説明する図である。
【図３０】従来のディスク保持機構の構成を説明する平面図である。
【符号の説明】
【００５４】
１・・・・・・ディスク装置
２・・・・・・ディスク装置本体
３・・・・・・ディスクトレイ
４・・・・・・ピックアップベース
５・・・・・・ディスクローディング機構
６・・・・・・ディスククランプ機構
７・・・・・・マルチコネクタ
８・・・・・・メインシャーシ
９・・・・・・保持片
１０・・・・・保持片
１１・・・・・インシュレータ
１２・・・・・支軸
１３・・・・・スピンドルモータ
１４・・・・・ヘッドユニット
１５・・・・・ターンテーブル
１６・・・・・クランプヘッド
１６ａ・・・・永久磁石
１６ｂ・・・・テーパ面
１７・・・・・カバーシャーシ
１８・・・・・ディスククランパ
１９・・・・・ガイドシャフト
２０・・・・・スレッドモータ
２１・・・・・昇降ベース
２２・・・・・スライドプレート
２３・・・・・ローディングモータ
２４・・・・・シャフト
２５・・・・・駆動ギア
２６・・・・・モータギア
２７・・・・・伝達ギア
２８・・・・・ウォームギア
２９・・・・・ラックギア
３０・・・・・第１のガイド溝
３１・・・・・第２のガイド溝
３２・・・・・従動ピン
３６・・・・・昇降ガイド溝
３７・・・・・ガイド片
３８・・・・・載置部
３８ａ・・・・凹嵌壁
３９・・・・・開口部
４０・・・・・保持部材
４０ａ・・・・保持爪
４１・・・・・リードスプリング
４２・・・・・解除部材
４２ｂ・・・・押圧片
４３・・・・・規制端部
４４・・・・・規制凹部
５０・・・・・トレイベゼル
５１・・・・・ベゼルフレーム
５１ａ・・・・イジェクト操作孔
５１ｂ・・・・押釦
【図１】
2005196853.tif 000003
【図２】
2005196853.tif 000004
【図３】
2005196853.tif 000005
【図４】
2005196853.tif 000006
【図５】
2005196853.tif 000007
【図６】
2005196853.tif 000008
【図７】
2005196853.tif 000009
【図８】
2005196853.tif 000010
【図９】
2005196853.tif 000011
【図１０】
2005196853.tif 000012
【図１１】
2005196853.tif 000013
【図１２】
2005196853.tif 000014
【図１３】
2005196853.tif 000015
【図１４】
2005196853.tif 000016
【図１５】
2005196853.tif 000017
【図１６】
2005196853.tif 000018
【図１７】
2005196853.tif 000019
【図１８】
2005196853.tif 000020
【図１９】
2005196853.tif 000021
【図２０】
2005196853.tif 000022
【図２１】
2005196853.tif 000023
【図２２】
2005196853.tif 000024
【図２３】
2005196853.tif 000025
【図２４】
2005196853.tif 000026
【図２５】
2005196853.tif 000027
【図２６】
2005196853.tif 000028
【図２７】
2005196853.tif 000029
【図２８】
2005196853.tif 000030
【図２９】
2005196853.tif 000031
【図３０】
2005196853.tif 000032